(57)【要約】【課題】新たな紙帯を装填する際の作業負担を軽減および作業時間を短縮させる。【解決手段】紙帯収納部から引き出された紙帯２１を挟持して紙幣結束機構１０へ送り出す紙帯搬送手段（２３、２５ａ、２５ｂ）と、前記紙帯搬送手段に紙帯２１の先端部を挟持させる紙帯装填手段２３とを設け、その紙帯搬送手段（２３、２５ａ、２５ｂ）が、係員の操作により紙帯装填手段２３に装填された紙帯２１の先端部を紙幣結束機構１０へ送り出すようにした。【選択図】        図２
2008287553.tif 000002
【特許請求の範囲】
【請求項１】
所定の枚数の紙幣を結束する紙幣結束機構を有する紙幣計数整理施封機に着脱自在に構成され、紙幣を結束するための紙帯を収納する紙帯収納部から引き出された紙帯を紙幣結束機構へ供給する紙帯供給装置において、
紙帯収納部から引き出された紙帯を挟持して紙幣結束機構へ送り出す紙帯搬送手段と、
前記紙帯搬送手段に紙帯の先端部を挟持させる紙帯装填手段とを設け、
前記紙帯搬送手段が、係員の操作により前記紙帯装填手段に装填された紙帯の先端部を紙幣結束機構へ送り出すようにしたことを特徴とする紙帯供給装置。
【請求項２】
請求項１の紙帯供給装置において、
紙幣計数整理施封機に装着されると該紙幣計数整理施封機の駆動手段が発生する駆動力を前記紙帯搬送手段へ伝達する駆動伝達手段を設け、
前記紙帯搬送手段が、前記駆動伝達手段で伝達された駆動力により紙帯の先端部を紙幣結束機構へ送り出すようにしたことを特徴とする紙帯供給装置。
【請求項３】
請求項１の紙帯供給装置において、
紙幣計数整理施封機に装着されると該紙幣計数整理施封機の電源装置が発生する電力の供給を受けて駆動力を発生する駆動手段を設け、
前記紙帯搬送手段が、前記駆動手段の駆動力により紙帯の先端部を紙幣結束機構へ送り出すようにしたことを特徴とする紙帯供給装置。
【請求項４】
請求項１、請求項２または請求項３の紙帯供給装置において、
前記紙帯搬送手段を、紙帯を挟持して紙幣結束機構へ送り出す紙帯フィードローラおよび紙帯を紙幣結束機構へ案内する紙帯搬送路としたことを特徴とする紙帯供給装置。
【請求項５】
請求項１から請求項３または請求項４の紙帯供給装置において、
前記紙帯搬送手段が紙帯を搬送する紙帯搬送路上で直線搬送部の同一直線上に、紙帯に文字を印字する紙帯印字部を設けたことを特徴とする紙帯供給装置。
【発明の詳細な説明】
【技術分野】
【０００１】
本発明は、銀行や郵便局等の金融機関や大型ディスカウント店等の流通業の店舗等に設置され、紙幣の計数や所定の枚数の紙幣を紙帯で小束結束等する紙幣計数整理施封機に搭載される紙帯供給装置に関し、特に紙幣を小束結束する紙幣結束機構に紙帯を供給する紙帯供給装置に関する。
【背景技術】
【０００２】
従来の紙帯供給装置は、紙幣の束を施封するための紙帯を紙帯リールトレイ部にロール状に収納し、その紙帯リールトレイ部から紙帯を引き出し、通番、店番、担当番号等を印刷する印刷部、および紙帯を切断するカッタ部等を経由して紙幣を結束する紙幣結束機構へ送り出すための紙帯フィード部等を備えている（例えば、特許文献１参照）。
【特許文献１】特開２０００−１９０９１３号公報（段落「００６７」〜段落「００７０」、図５）
【発明の開示】
【発明が解決しようとする課題】
【０００３】
しかしながら、上述した従来の技術においては、新たな紙帯を紙帯供給装置に装填する場合、係員等の手作業により、ロール状に巻かれた紙帯を紙帯リールトレイ部に装着し、その紙帯の端部を紙帯リールトレイ部から引き出し、印刷部、カッタ部等を経由するように紙帯フィード部にセットする必要があり、その係員に大きな作業負担がかかるとともに係員の操作の誤り等により紙帯の詰まり等の動作異常が発生してしまうという問題がある。
【０００４】
本発明は、このような問題を解決することを課題とする。
【課題を解決するための手段】
【０００５】
そのため、本発明は、所定の枚数の紙幣を結束する紙幣結束機構を有する紙幣計数整理施封機に着脱自在に構成され、紙幣を結束するための紙帯を収納する紙帯収納部から引き出された紙帯を紙幣結束機構へ供給する紙帯供給装置において、紙帯収納部から引き出された紙帯を挟持して紙幣結束機構へ送り出す紙帯搬送手段と、前記紙帯搬送手段に紙帯の先端部を挟持させる紙帯装填手段とを設け、前記紙帯搬送手段が、係員の操作により前記紙帯装填手段に装填された紙帯の先端部を紙幣結束機構へ送り出すようにしたことを特徴とする。
【発明の効果】
【０００６】
このようにした本発明は、係員の作業負担を軽減および作業時間を短縮させることができるという効果が得られるとともに係員の誤操作を防止して装置の信頼性を向上させることができるという効果が得られる。
【発明を実施するための最良の形態】
【０００７】
以下、図面を参照して本発明による紙帯供給装置の実施例を説明する。
【実施例１】
【０００８】
図１は第１の実施例における紙幣計数整理施封機の概略側面図である。
図１において、１は紙幣の投入部で、装置正面の上部に設けられている。２は紙幣の真偽、金種、正損、表裏等の鑑別、及び計数を行うと共に、搬送異常の検出を行う鑑別部で、装置内に設けられている。３は紙幣の搬送路で、この搬送路３については後で説明する。４は紙幣の表裏反転を行う表裏反転部で、装置内の鑑別部２の後段に位置するように設けられている。
【０００９】
５は結束対象外の金種の紙幣を集積するオープンポケットで、装置の上面に設けられており、このオープンポケット５に集積された紙幣はオペレータが直接アクセスできるものとなっている。６は集積機構で、本実施例においてこの集積機構６には縦１列に４つの一時集積部６ａ〜６ｄが並べて装置内に設けられており、各一時集積部６ａ〜６ｄにそれぞれ予め定められた枚数、例えば本実施例では１００枚の紙幣が集積できるようになっている。なお、一時集積部は４つに限らす３つ以上であればよい。
【００１０】
また、投入部１の一側には図示しない操作部が設けられ、この操作部には紙幣の計数を指示する計数開始ボタン等が設けられている。
８は鑑別部２で金種不明と鑑別されたりあるいは搬送異常が検知されたリジェクト紙幣を集積するリジェクトポケットで、前記投入部１の上方に設けられており、このリジェクトポケット８に集積された紙幣にオペレータが直接アクセスできるものとなっている。
【００１１】
９は移送機構であり、一時集積部６ａ〜６ｄに集積された紙幣、例えば１００枚の紙幣を紙幣クランプ部で挟持し、その紙幣クランプ部を前後動および上下動させて後述する紙幣結束機構へ移送させるものである。
１０は紙幣結束機構であり、移送機構９により移送された紙幣を受け入れ、その紙幣を紙帯で結束するためのものである。詳細は後述する。
【００１２】
１１は紙幣束の放出口であり、紙幣結束機構１０で結束した紙幣束を放出するためのものである。
また、装置上面においてオープンポケット５の後方に位置するように操作表示部１３が設けられ、その操作表示部１３はＬＣＤとその表面に配置したタッチパネルによって構成されており、オペレータは操作表示部１３を操作してモードに指定や、一時集積部６ａ〜６ｄに集積する紙幣に金種、集積順序等の設定を行うものとなっている。
【００１３】
さらに、この操作表示部１３には鑑別部２で鑑別された紙幣の金種や正損及び計数結果等の表示も行われる。
ここで搬送路３について説明する。紙幣計数整理施封機内の上部において搬送路３は３ａ〜３ｅから成り、搬送路３ａは投入部１から鑑別部３を経て分岐点３ｆにいたるように設けられ、搬送路３ｂは分岐点３ｆからリジェクトポケットにいたるように設けられている。
【００１４】
また、搬送路３ｃは分岐点３ｆから表裏反転部４を経て分岐点３ｇにいたるように設けられており、そして搬送路３ｄは分岐点３ｇから装置の下部に伸びて集積機構６の一時集積部６ａ〜６ｄに沿うように設けられ、更に搬送路３ｅは分岐点３ｇからオープンポケット５にいたるように設けられている。
なお、分岐点３ｆ、３ｇのそれぞれの近傍には紙幣の搬送方向を切替える図示しない切替えブレードが設けられ、図示しない制御部により動作制御されるものとなっている。
【００１５】
図２は第１の実施例における紙幣結束機構および紙帯供給装置の側面図、図３は第１の実施例における紙帯供給装置のＡＡ矢視図である。
図２および図３において、２０は紙帯供給装置であり、紙幣を結束するための紙帯を紙幣結束機構１０へ供給するためにトレイ状に形成されたものである。
２１は紙帯であり、紙テープ等の紙幣を結束するためのものである。
【００１６】
２２は紙帯収納部としての紙帯リール部であり、ロール状に巻かれた紙帯２１を回転自在に載置するためのものである。本実施例では、紙帯リール部２２の回転軸は鉛直方向に配置されたものとして説明するが、これに限られることなく水平方向に配置されたものであってもよい。
２３は紙帯搬送手段および紙帯装填手段としての紙帯フィードローラであり、紙帯リール部２２から引き出された紙帯２１を挟持して送り出すためのものである。この紙帯フィードローラ２３はふたつのローラの外周が接するように対向して配置され、図示しないモータ等の駆動手段および駆動伝達手段等により回転するように構成されている。
【００１７】
また、紙帯フィードローラ２３の一方のローラはレール等により摺動自在またはアーム等により回動自在に構成され、他方のローラに接するように弾性部材等により付勢されている。したがって、紙幣計数整理施封機を操作する係員は、紙帯フィードローラ２３の一方のローラを摺動または回動させて紙帯リール部２２に載置された紙帯２１の先端部をふたつのローラの間に挿入し、その紙帯２１の先端部を紙帯搬送手段としての紙帯フィードローラ２３に挟持させ、紙帯２１を装填することができるようになっている。
【００１８】
２４は紙帯搬送手段としての紙帯搬送方向転換部であり、紙帯フィードローラ２３から送り出された紙帯２１を後述する紙帯印字部へ搬送するために搬送方向を転換するためのものである。本実施例では、回転軸が鉛直方向になるように配置された紙帯リール部２２から引き出された紙帯２１を上方へ搬送方向を転換するようにローラ等で構成されている。
【００１９】
２５ａ、２５ｂは紙帯搬送手段としての紙帯フィードローラであり、紙帯搬送方向転換部２４から送り出された紙帯２１を挟持して紙幣結束機構１０へ送り出すためのものである。この紙帯フィードローラ２５ａ、２５ｂも紙帯フィードローラ２３と同様にふたつのローラの外周が接するように対向して配置され、図示しないモータ等の駆動手段および駆動伝達手段等により回転するように構成されている。
【００２０】
このように紙帯搬送手段としての紙帯フィードローラ２５ａ、２５ｂや紙帯フィードローラ２３、紙帯搬送方向転換部２４で搬送される紙帯２１は図示しない紙帯ガイド（紙帯搬送路）で案内されて搬送され、紙幣結束機構１０へ送り出されるようになっている。
２６は紙帯印字部であり、紙帯フィードローラ２５ａ、２５ｂで紙帯搬送路上を搬送される紙帯２１にインクリボンを介して結束される紙幣の通番・日付・店番等を印刷するものである。
【００２１】
２７はカッタ部であり、紙帯印字部２６で印刷された紙帯２１を所定の長さに切断するためのものである。
このように紙帯供給装置２０は、紙帯リール部２２、紙帯フィードローラ２３、紙帯搬送方向転換部２４、紙帯フィードローラ２５ａ、２５ｂ、紙帯印字部２６、およびカッタ部２７等からなり、図示しないフレームに固定されて紙幣計数整理施封機に着脱可能に構成されている。
【００２２】
紙帯供給装置２０が紙幣計数整理施封機に装着されるとその紙帯供給装置２０は図示しないロック機構により紙幣計数整理施封機に固定されるとともに光学式センサ等で構成された装着検知手段３１は紙幣計数整理施封機に装着されたことを検知し、その旨を図示しない制御部へ通知するようになっている。
また、紙帯供給装置２０が紙幣計数整理施封機に装着されると紙幣計数整理施封機に設けられた図示しないモータ等の駆動手段に連結された歯車等の駆動伝達手段３０が紙帯フィードローラ２３、紙帯搬送方向転換部２４内のローラ、および紙帯フィードローラ２５ａ、２５ｂの回転軸に設けられた歯車等の駆動伝達手段に噛合して動力を伝達し、紙帯２１を搬送することができるようになっている。
【００２３】
なお、紙帯フィードローラ２３、紙帯搬送方向転換部２４内のローラ、および紙帯フィードローラ２５ａ、２５ｂは正逆回転可能に構成され、紙帯２１を紙幣結束機構１０へ送り出すことができ、また紙帯２１を紙帯リール部２２へ引き戻すことができるようになっている。
紙幣結束機構１０は、移送機構９により移送された紙幣を搬送するローラやベルト等から成る搬送手段１５および搬送手段１５で搬送された紙幣を紙帯２１で結束する図示しないワインダ手段等により構成され、以下のようにして紙幣を結束する。
【００２４】
まず、紙幣結束機構１０の搬送手段１５が移送機構９から１００枚の紙幣を一括して受け取り（図２の矢印Ｂ）、結束位置（図２の矢印Ｃが示す方向）に搬送する。紙帯供給装置２０は紙帯２１を前記紙幣結束機構１０に供給し、その際、紙帯印字部２６は紙帯２１に結束する紙幣の通番・日付・店番等を印字する。印字された紙帯２１は所定の長さにカッタ部２７で切断され、この切断された紙帯２１をワインダ手段等が結束位置に搬送された１００枚の紙幣に巻き掛けて結束することにより紙幣束を作る。こうして作られた紙幣束は更に搬送手段１５により搬送され、放出口１１に送られる。
【００２５】
このように構成された紙幣計数整理施封機は、その全体の動作処理制御する中央処理装置等の制御部、動作処理制御するためのプログラム（ソフトウェア）や情報を記憶するメモリや磁気ディスク等の記憶部を備えている。
上述した構成の作用について、ロール状の紙帯２１を新たに紙帯リール部２２に装着する場合や紙帯リール部２２に装着されていたロール状の紙帯２１がなくなり、新たなロール状の紙帯２１を紙帯リール部２２に交換する場合の動作を図４の第１の実施例における紙帯供給装置を紙幣計数整理施封機に装着する場合の説明図に基づいて説明する。
【００２６】
なお、以下に説明する各実施例における紙帯供給装置２０を含む各部の動作は、紙幣計数整理施封機に設けられた図示しない記憶部（記憶手段）に格納されたプログラム（ソフトウェア）に基づいて図示しない制御部（制御手段）により制御される。
図４（ａ）は紙帯供給装置２０を紙幣計数整理施封機から引き出した状態を示す説明図、図４（ｂ）は紙帯供給装置２０を紙幣計数整理施封機に装着した状態を示す説明図である。
【００２７】
紙帯供給装置２０を操作する係員は、図４（ａ）に示すように紙幣計数整理施封機から引き出した紙帯供給装置２０の紙帯リール部２２に新たなロール状の紙帯２１を装着し、さらに紙帯２１の先端部を紙帯フィードローラ２３に挟持させる。
係員は、図４（ｂ）に示すように紙帯２１の先端部を紙帯フィードローラ２３に挟持させた紙帯供給装置２０を紙幣計数整理施封機に押し込んで（図中矢印Ｄが示す方向）装着させる。
【００２８】
紙帯供給装置２０が紙幣計数整理施封機に装着されると装着検知手段３１は紙帯供給装置２０が装着されたことを検知し、その旨を制御部に通知する。
制御部は図示しない駆動手段を駆動させ、駆動伝達手段３０を介して紙帯フィードローラ２３、紙帯搬送方向転換部２４内のローラ、および紙帯フィードローラ２５ａ、２５ｂを回転させる。
【００２９】
紙帯フィードローラ２３は挟持した紙帯２１の先端部を紙帯搬送方向転換部２４へ送り込み、紙帯搬送方向転換部２４は送り込まれた紙帯２１の先端部を紙帯フィードローラ２５ａへ送り出す。
紙帯フィードローラ２５ａは送り出された紙帯２１の先端部を紙帯フィードローラ２５ｂに送り込み、さらに紙帯フィードローラ２５ｂは紙帯２１の先端部を紙幣結束機構１０へ送り出す。
【００３０】
また、紙帯の交換を指示する係員の操作を操作表示部１３で受け付けるとその操作を受け付けた旨の通知を操作表示部１３から受けた制御部は図示しない駆動手段を駆動させ、駆動伝達手段３０を介して紙帯フィードローラ２３、紙帯搬送方向転換部２４内のローラ、および紙帯フィードローラ２５ａ、２５ｂを逆回転させる。
そうすると紙帯フィードローラ２３、紙帯搬送方向転換部２４内のローラ、および紙帯フィードローラ２５ａ、２５ｂで挟持された紙帯２１は紙帯リール部２２へ引き戻される。
【００３１】
紙帯２１は紙帯リール部２２へ引き戻されると係員の操作による紙帯２１の交換が可能になる。
なお、紙帯フィードローラ２５ｂの近傍に光学式センサ等の図示しない紙帯装填検知手段が設けられ、紙帯２１が装填されているか否かを検知することができるようになっており、紙帯供給装置２０が紙幣計数整理施封機に装着されたとき紙帯２１が装填されている場合、上述した紙帯２１の先端部を紙幣結束機構１０へ送り出す動作は行わないものとし、また紙帯２１が装填されている場合であっても紙帯印字部２６やカッタ部２７等の初期化動作を行うことができるものとする。
【００３２】
以上説明したように、第１の実施例では、紙帯供給装置２０が紙幣計数整理施封機に装着されたことを検知すると制御部が駆動手段を駆動させ、駆動伝達手段３０を介して紙帯フィードローラ２３、紙帯搬送方向転換部２４内のローラ、および紙帯フィードローラ２５ａ、２５ｂを回転させて紙帯２１の先端部を紙幣結束機構１０へ送り出すようしたことにより、係員の作業負担を軽減および作業時間を短縮することができるという効果が得られる。
【００３３】
また、係員の誤操作を防止することができ装置の信頼性を向上させることができるという効果が得られる。
さらに、紙帯をセットした複数の紙帯リール部２２を用意しておくことで紙帯リール部２２の交換のみで紙帯交換できるため、係員の作業時間を極めて短くでき紙帯セット時間によるロスタイムを大幅に低減することができるという効果が得られる。
【実施例２】
【００３４】
第２の実施例における紙帯供給装置の構成は、紙帯フィードローラ２３、紙帯搬送方向転換部２４内のローラ、および紙帯フィードローラ２５ａ、２５ｂを回転させる駆動手段を紙帯供給装置２０に備えたことがそのような駆動手段を備えない第１の実施例における紙帯供給装置の構成と異なる。
なお、上述した第１の実施例と同様の部分は、同一の符号を付してその説明を省略する。
【００３５】
図５は第２の実施例における紙帯供給装置を紙幣計数整理施封機に装着する場合の説明図である。
図５において、３４は駆動手段であり、正逆回転可能なモータ等で構成されたものである。この駆動手段３４は図示しない駆動伝達手段を介して紙帯フィードローラ２３、紙帯搬送方向転換部２４内のローラ、および紙帯フィードローラ２５ａ、２５ｂを回転させ、紙帯２１を搬送することができるようになっている。
【００３６】
なお、第１の実施例と同様に駆動手段３４、紙帯フィードローラ２３、紙帯搬送方向転換部２４内のローラ、および紙帯フィードローラ２５ａ、２５ｂは正逆回転可能に構成され、紙帯２１を紙幣結束機構１０へ送り出すことができ、また紙帯２１を紙帯リール部２２へ引き戻すことができるようになっている。
３５は紙帯供給装置２０の設けられた接続端子（ジャックインコネクタ）であり、３６は紙幣計数整理施封機に設けられた接続端子（ジャックインコネクタ）である。この接続端子３５は駆動手段３４に接続され、また接続端子３６は紙幣計数整理施封機に設けられた図示しない電源装置に接続され、接続端子３５と接続端子３６が接続されることにより駆動手段３４に電源（電力）を供給することができるようになっている。
【００３７】
紙帯供給装置２０は、紙帯リール部２２、紙帯フィードローラ２３、紙帯搬送方向転換部２４、紙帯フィードローラ２５ａ、２５ｂ、紙帯印字部２６、カッタ部２７、および駆動手段３４等からなり、図示しないフレームに固定されて紙幣計数整理施封機に着脱可能に構成されているのは第１の実施例と同様である。
紙帯供給装置２０が紙幣計数整理施封機に装着されると接続端子３５の近傍に設けられた凸部と接続端子３６の近傍に設けられた凹部が嵌合し、接続端子３５と接続端子３６とが確実に接続されるようになっている。このように接続端子３５と接続端子３６が接続されることにより駆動手段３４は電源が供給されて回転可能になる。
【００３８】
また、紙帯供給装置２０が紙幣計数整理施封機に装着されるとその紙帯供給装置２０は図示しないロック機構により紙幣計数整理施封機に固定されるとともに光学式センサ等で構成された装着検知手段３１は紙幣計数整理施封機に装着されたことを検知し、その旨を図示しない制御部へ通知するようになっていることは第１の実施例と同様である。
なお、制御部はさらに接続端子３５と接続端子３６の通電確認を行い接続されていることを検知するようにしてもよい。また、上述した装着検知手段３１に替えて制御部が接続端子３５と接続端子３６の通電確認を行い、紙帯供給装置２０が紙幣計数整理施封機に装着されたことを検知するようにしてもよい。
【００３９】
上述した構成の作用について、ロール状の紙帯２１を新たに紙帯リール部２２に装着する場合や紙帯リール部２２に装着されていたロール状の紙帯２１がなくなり、新たなロール状の紙帯２１を紙帯リール部２２に交換する場合の動作を図５の第２の実施例における紙帯供給装置を紙幣計数整理施封機に装着する場合の説明図に基づいて説明する。
図５（ａ）は紙帯供給装置２０を紙幣計数整理施封機から引き出した状態を示す説明図、図５（ｂ）は紙帯供給装置２０を紙幣計数整理施封機に装着した状態を示す説明図である。
【００４０】
紙帯供給装置２０を操作する係員は、図５（ａ）に示すように紙幣計数整理施封機から引き出した紙帯供給装置２０の紙帯リール部２２に新たなロール状の紙帯２１を装着し、さらに紙帯２１の先端部を紙帯フィードローラ２３に挟持させる。
係員は、図５（ｂ）に示すように紙帯２１の先端部を紙帯フィードローラ２３に挟持させた紙帯供給装置２０を紙幣計数整理施封機に押し込んで（図中矢印Ｅが示す方向）装着させる。このとき接続端子３５の近傍に設けられた凸部と接続端子３６の近傍に設けられた凹部が嵌合し、接続端子３５と接続端子３６とが確実に接続される。このように接続端子３５と接続端子３６が接続されることにより駆動手段３４は電源が供給されて回転可能になる。
【００４１】
紙帯供給装置２０が紙幣計数整理施封機に装着されると装着検知手段３１は紙帯供給装置２０が装着されたことを検知し、その旨を制御部に通知する。
制御部は駆動手段３４を駆動させ、図示しない駆動伝達手段を介して紙帯フィードローラ２３、紙帯搬送方向転換部２４内のローラ、および紙帯フィードローラ２５ａ、２５ｂを回転させる。
【００４２】
紙帯フィードローラ２３は挟持した紙帯２１の先端部を紙帯搬送方向転換部２４へ送り込み、紙帯搬送方向転換部２４は送り込まれた紙帯２１の先端部を紙帯フィードローラ２５ａへ送り出す。
紙帯フィードローラ２５ａは送り出された紙帯２１の先端部を紙帯フィードローラ２５ｂに送り込み、さらに紙帯フィードローラ２５ｂは紙帯２１の先端部を紙幣結束機構１０へ送り出す。
【００４３】
また、紙帯の交換を指示する係員の操作を操作表示部１３で受け付けるとその操作を受け付けた旨の通知を操作表示部１３から受けた制御部は駆動手段３４を駆動させ、図示しない駆動伝達手段を介して紙帯フィードローラ２３、紙帯搬送方向転換部２４内のローラ、および紙帯フィードローラ２５ａ、２５ｂを逆回転させる。
そうすると紙帯フィードローラ２３、紙帯搬送方向転換部２４内のローラ、および紙帯フィードローラ２５ａ、２５ｂで挟持された紙帯２１は紙帯リール部２２へ引き戻される。
【００４４】
紙帯２１は紙帯リール部２２へ引き戻されると係員の操作による紙帯２１の交換が可能になる。
なお、紙帯フィードローラ２５ｂの近傍に光学式センサ等の図示しない紙帯装填検知手段が設けられ、紙帯２１が装填されているか否かを検知することができるようになっており、紙帯２１が装填されている場合、上述した紙帯２１の先端部を紙幣結束機構１０へ送り出す動作は行わないものとする。
【００４５】
以上説明したように、第２の実施例では、第１の実施例の効果に加え、紙帯供給装置の接続端子３５と紙幣計数整理施封機の接続端子３６とが接続されることにより駆動手段３４は電源が供給され、回転可能になるようにしたことで、動力の伝達不良を防止することができ紙帯供給装置の信頼性をさらに向上させることができるという効果が得られる。
【図面の簡単な説明】
【００４６】
【図１】第１の実施例における紙幣計数整理施封機の概略側面図
【図２】第１の実施例における紙幣結束機構および紙帯供給装置の側面図
【図３】第１の実施例における紙帯供給装置のＡＡ矢視図
【図４】第１の実施例における紙帯供給装置を紙幣計数整理施封機に装着する場合の説明図
【図５】第２の実施例における紙帯供給装置を紙幣計数整理施封機に装着する場合の説明図
【符号の説明】
【００４７】
１    投入部
２    鑑別部
３    搬送路
４    表裏反転部
５    オープンポケット
６    集積機構
６ａ〜６ｄ  一時集積部
８    リジェクトポケット
９    移送機構
１０  紙幣結束機構
１１  放出口
１３  操作表示部
２０  紙帯供給装置
２１  紙帯
２２  紙帯リール部
２３、２５ａ、２５ｂ  紙帯フィードローラ
２４  紙帯搬送方向転換部
２６  紙帯印字部
２７  カッタ部
３０  駆動伝達手段
３１  装着検知手段
３４  駆動手段
３５、３６  接続端子
【図１】
2008287553.tif 000003
【図２】
2008287553.tif 000004
【図３】
2008287553.tif 000005
【図４】
2008287553.tif 000006
【図５】
2008287553.tif 000007